(57)【要約】【課題】通信サービスを維持した状態で入射効率が最大となるようにプローブファイバを微調整できる光ファイバ側方入出力装置及び調心方法を提供することを目的とする。【解決手段】本発明に係る光ファイバ側方入出力装置及び調心方法は、プローブファイバから主光ファイバの曲げ部へ試験光を入射し、当該曲げ部において入射直後に漏洩する試験光の光強度に基づいてプローブファイバを調心する。本光ファイバ側方入出力装置は、入射効率でプローブファイバを位置合わせするため、数μｍレベルでの微調整が可能である。【選択図】図２
2017203730.tif 000002
【特許請求の範囲】
【請求項１】
主光ファイバに形成された曲げ部にプローブファイバの一端を近接させ、前記曲げ部からの漏洩光を前記プローブファイバの一端で受光し、前記プローブファイバの一端から前記曲げ部へ入射光を出射することで前記主光ファイバと前記プローブファイバとの間で光を入出力する光ファイバ側方入出力装置であって、
前記プローブファイバの一端から前記曲げ部へ出射する試験光を出力する試験光源と、
前記プローブファイバの一端の位置を調整する調心器と、
前記曲げ部へ入射された後に前記曲げ部から漏洩する前記試験光を受光する受光部と、
前記調心器に対して、前記受光部が受光した前記試験光の光強度が最大となるように前記プローブファイバの一端の位置を調整させる制御部と、
を備えることを特徴とする光ファイバ側方入出力装置。
【請求項２】
前記受光部は、フォトディテクタであることを特徴とする請求項１に記載の光ファイバ側方入出力装置。
【請求項３】
前記受光部は、
一端が前記曲げ部に近接され、前記試験光の波長でマルチモード伝搬可能なマルチモードファイバと、
前記マルチモードファイバの他端に配置されたフォトディテクタと、
を有することを特徴とする請求項１に記載の光ファイバ側方入出力装置。
【請求項４】
前記主光ファイバは、４心又は８心のテープ心線であり、
前記プローブファイバは、前記テープ心線の心線毎に配置され、
前記フォトディテクタは、前記曲げ部における前記テープ心線の心線それぞれから漏洩する前記試験光を受光できる大きさであり、
前記制御部は、前記調心器に対して、前記プローブファイバ毎に一端の位置を調整させる
ことを特徴とする請求項２に記載の光ファイバ側方入出力装置。
【請求項５】
前記主光ファイバは、４心又は８心のテープ心線であり、
前記プローブファイバ、前記マルチモードファイバ及び前記フォトディテクタは、前記テープ心線の心線毎に配置され、
前記制御部は、前記調心器に対して、前記プローブファイバ毎に一端の位置を調整させる
ことを特徴とする請求項３に記載の光ファイバ側方入出力装置。
【請求項６】
主光ファイバに形成された曲げ部にプローブファイバの一端を近接させ、前記曲げ部からの漏洩光を前記プローブファイバの一端で受光し、前記プローブファイバの一端から前記曲げ部へ入射光を出射することで前記主光ファイバと前記プローブファイバとの間で光を入出力する光ファイバ側方入出力装置において前記プローブファイバの一端の位置を調整する調心方法であって、
前記プローブファイバの一端から前記曲げ部へ試験光を出射し、
前記曲げ部へ入射された後に前記曲げ部から漏洩する前記試験光を受光し、
前記曲げ部から漏洩する前記試験光の光強度が最大となるように前記プローブファイバの一端の位置を調整する
ことを特徴とする調心方法。
【請求項７】
前記主光ファイバが４心又は８心のテープ心線である場合に、
前記プローブファイバを前記テープ心線の心線毎に配置し、
前記曲げ部における前記テープ心線の心線それぞれから漏洩する前記試験光を受光できる大きさのフォトディテクタを用い、それぞれの前記プローブファイバを順に位置調整する
ことを特徴とする請求項６に記載の調心方法。
【請求項８】
前記主光ファイバが４心又は８心のテープ心線である場合に、
前記プローブファイバを前記テープ心線の心線毎に配置し、
前記曲げ部における前記テープ心線の心線毎に、前記試験光の波長でマルチモード伝搬可能であり、他端にフォトディテクタが配置されたマルチモードファイバの一端を近接し、
それぞれの前記プローブファイバの一端から同時に前記曲げ部へ前記試験光を出射して前記プローブファイバ毎に一端の位置を調整する
ことを特徴とする請求項６に記載の調心方法。
【発明の詳細な説明】
【技術分野】
【０００１】
本開示は、光ファイバの側方から光を入出力する技術に関する。
【背景技術】
【０００２】
光ファイバ線路内に新設の光ファイバ線路を挿入する光線路切替工事にあって、光ファイバ線路内の通信信号を一時的に別の光ファイバ線路に切り替え、通信サービスを維持しながら新設光ファイバを挿入する技術が知られている（例えば特許文献１を参照。）。ここで、光ファイバを切断することなく光信号を他の光ファイバに入出力する技術として、既設の光ファイバ（主光ファイバ）に曲げを与え、この曲げ部位に側面から別の光ファイバ（プローブファイバ）を対向させ、当該プローブ光ファイバの先端部から光信号を入射すると共に、主光ファイバの曲げ部から出射される光信号をプローブファイバの先端部で受光する光ファイバ側方入出力技術が検討されている。
【０００３】
例えば、円柱状の第１のブロックと半円柱状の凹曲面が形成された第２のブロックを用意して、これらのブロック間に既設光ファイバを凹状に曲げられた状態に挟み込み、かつ第２のブロック内に設けた空隙部にプローブファイバを挿入してその先端部を既設光ファイバの曲げ部位に近接対向させることにより、光信号の入出射を行なう手法も提案されている（例えば非特許文献１を参照。）。
【０００４】
なお、本明細書において、シングルモード光ファイバとは、使用される信号光が実効遮断波長より長い波長の光であり、単一モードで伝搬する光ファイバを意味する。また、マルチモード光ファイバとは、使用される信号光が実効遮断波長より短い波長の光であり、複数のモードで伝搬する光ファイバを意味する。
【先行技術文献】
【特許文献】
【０００５】
【特許文献１】特開２０１４−０８１４９１号公報
【非特許文献】
【０００６】
【非特許文献１】廣田、川野、真保、清倉、本田、真鍋「側方光入力技術を用いた光線路切替装置の検討」、光ファイバ応用技術技報、ＯＦＴ２０１３−５０，ｐｐ２１−２４．
【非特許文献２】清倉ほか、「デュアルモードファイバプローブ利用によるローカル光入出力技術の受光効率改善検討」、2015年信学会通信ソサイエティ大会  ｂ−１３−０１４Ａ．
【非特許文献３】田野辺ほか、「ＳＭ／ＭＭ共用デュアルモード光ファイバ」、ＯＣＳ２００７−３７
【非特許文献４】インターネット  “ソーラボ  ダブルクラッドファイバ    ＤＣＦ１３”，ｈｔｔｐｓ：／／ｗｗｗ．ｔｈｏｒｌａｂｓ．ｃｏ．ｊｐ／ｔｈｏｒｃａｔ／ＴＴＮ／ＤＣＦ１３−ＳｐｅｃＳｈｅｅｔ．ｐｄｆ（２０１６年４月１日検索）
【発明の概要】
【発明が解決しようとする課題】
【０００７】
光ファイバ側方入出力技術では、主光ファイバ（単心線・４心テープ心線・０．９ｍｍチューブ）からの漏洩光の分布に毎回ばらつきがあり、プローブファイバの最適位置が毎回異なる。そのため、プローブファイバの最適位置からずれてしまった場合、結合効率の大幅な劣化につながる。
【０００８】
そこで、主光ファイバを曲げたのち、結合効率が最大となるように、曲げた主光ファイバに近接させたプローブファイバを現場で毎回調心する方法が考えられる。プローブファイバを調心する方法としては、主光ファイバの曲げ部からの漏洩光をプローブファイバで受光し、その受光パワーが最大となる位置に調心する方法が考えられる。しかしこの方法をＧＥ−ＰＯＮ（Ｇｉｇａｂｉｔ  Ｅｔｈｅｒｎｅｔ−Ｐａｓｓｉｖｅ  Ｏｐｔｉｃａｌ  Ｎｅｔｗｏｒｋ）のようなシステムに適用すれば、迂回線路に切り替える際の主光ファイバの曲げにより通信光が遮断されることになる。つまり、下りの通信光が遮断されると、ＯＮＵからの上り通信光（波長１．３１μｍ帯）がＯＮＵから出力されなくなる。このように、上り通信光をプローブファイバの調心に使用した場合、曲げの状態によっては上り通信光が停止してしまい、曲げ部から光が漏洩せずプローブファイバの調心ができなくなる。
【０００９】
また、通信光が遮断されない程度に光ファイバを曲げ、プローブファイバを調心しようとしても次のような困難性が存在する。ＧＥ−ＰＯＮのようなシステムは、通常、図１に示すようにＯＬＴ１００と最大８台のＯＮＵ２００とが８分岐スプリッタ５１で接続されている。ＯＬＴと各ＯＮＵとは距離が異なるため、光ファイバ曲げ部に達するＯＮＵからの上り通信光はフレームごとに強度レベルの異なる光信号（バースト信号）であり、上り通信光は最大８台のＯＮＵからの８分岐スプリッタで合波されたものであるため、８台のＯＮＵの通信状態によって光ファイバ曲げ部に入力される上り通信光のパワーが時間的に変動してしまう。このため、プローブファイバが受光するパワーが時間的に変動してしまい、最適位置への調心が困難となる。
【００１０】
このように、光ファイバ側方入出力技術において上り通信光をプローブファイバの調心に使用した場合、上り通信光の光強度が変動し、プローブファイバの調心が困難という課題があった（第１の課題）。
【００１１】
また、プローブファイバとして、従来のシングルモードファイバではなく、シングルモードコアとマルチモードコアをあわせもつデュアルモードファイバやダブルクラッドファイバを使用する方法（以下、ＤＣＦ方法）が提案されている（例えば非特許文献２、３、４を参照。）。ＤＣＦ方法は、従来のシングルモードファイバの使用に比べて主光ファイバの曲げ部からプローブファイバへの方向の結合効率（以下、出力効率）が向上する利点がある。
【００１２】
ＤＣＦ方法は、出力効率の軸ずれに対するトレランスも拡大する。しかし、出力効率の軸ずれトレランスの拡大は、出力効率でのプローブファイバ調心において数μｍレベルの微調整が困難となる。つまり、ＤＣＦ方法は、出力効率でプローブファイバを調心してもプローブファイバから主光ファイバの曲げ部への方向の結合効率（以下、入力効率）が最大とならない可能性がある。このように、ＤＣＦ方法には、入力効率を最大にする調心が困難という課題がある（第２の課題）。
【００１３】
一方、第１の課題や第２の課題を解決する手法として、図１のようなＰＯＮにおいて、プローブファイバから主光ファイバの曲げ部へ試験光を入射して入射光率でプローブファイバの調心を行うことも考えられる。入射光率での調心は、８分岐スプリッタに接続されている８台のＯＮＵのうちいずれか１台をパワーメータに置き換えて試験光のパワーをモニタする必要があり、一時的に通信サービスを停止することになる。このように、入射光率でプローブファイバの調心を行う場合、通信サービスの維持が困難という課題がある（第３の課題）。
【００１４】
そこで、本発明は、上記の３つの課題を解決すべく、通信サービスを維持した状態で入射光率が最大となるようにプローブファイバを微調整できる光ファイバ側方入出力装置及び調心方法を提供することを目的とする。
【課題を解決するための手段】
【００１５】
本発明に係る光ファイバ側方入出力装置及び調心方法は、プローブファイバから主光ファイバの曲げ部へ試験光を入射し、当該曲げ部において入射直後に漏洩する試験光の光強度に基づいてプローブファイバを調心することとした。
【００１６】
具体的には、本発明に係る光ファイバ側方入出力装置は、主光ファイバに形成された曲げ部にプローブファイバの一端を近接させ、前記曲げ部からの漏洩光を前記プローブファイバの一端で受光し、前記プローブファイバの一端から前記曲げ部へ入射光を出射することで前記主光ファイバと前記プローブファイバとの間で光を入出力する光ファイバ側方入出力装置であって、
前記プローブファイバの一端から前記曲げ部へ出射する試験光を出力する試験光源と、
前記プローブファイバの一端の位置を調整する調心器と、
前記曲げ部へ入射された後に前記曲げ部から漏洩する前記試験光を受光する受光部と、
前記調心器に対して、前記受光部が受光した前記試験光の光強度が最大となるように前記プローブファイバの一端の位置を調整させる制御部と、
を備えることを特徴とする。
【００１７】
また、本発明に係る調心方法は、主光ファイバに形成された曲げ部にプローブファイバの一端を近接させ、前記曲げ部からの漏洩光を前記プローブファイバの一端で受光し、前記プローブファイバの一端から前記曲げ部へ入射光を出射することで前記主光ファイバと前記プローブファイバとの間で光を入出力する光ファイバ側方入出力装置において前記プローブファイバの一端の位置を調整する調心方法であって、
前記プローブファイバの一端から前記曲げ部へ試験光を出射し、
前記曲げ部へ入射された後に前記曲げ部から漏洩する前記試験光を受光し、
前記曲げ部から漏洩する前記試験光の光強度が最大となるように前記プローブファイバの一端の位置を調整する
ことを特徴とする。
【００１８】
試験光として主光ファイバを伝搬する信号光の波長（例えば、１．３１μｍ帯）と異なる波長の光（例えば、１．６５μｍ帯）を用いれば、通信サービスを停止せずにプローブファイバの調心ができる。よって、本光ファイバ側方入出力装置は、上り通信光を使用しないため第１の課題を解決できる。
【００１９】
本光ファイバ側方入出力装置は、プローブファイバから主光ファイバの曲げ部に試験光を入射し、当該曲げ部に対してプローブファイバの反対側に設置したパワーモニタ用の受光部で曲げ部から漏洩する試験光のパワーをモニタしながらプローブファイバを走査し、試験光のパワーが最大となる位置にプローブファイバを位置合わせする。つまり、本光ファイバ側方入出力装置は、入射効率でプローブファイバを位置合わせするため、数μｍレベルでの微調整が可能である。よって、本光ファイバ側方入出力装置は、上り通信光を使用しないため第２の課題を解決できる。
【００２０】
さらに、本光ファイバ側方入出力装置は、試験光専用の受光部を備えており、ＯＮＵをパワーメータに置き換える必要がない。よって、本光ファイバ側方入出力装置は、通信サービスの維持ができ第３の課題を解決できる。
【００２１】
従って、本発明は、通信サービスを維持した状態で入射光率が最大となるようにプローブファイバを微調整できる光ファイバ側方入出力装置及び調心方法を提供することができる。
【００２２】
また、前記受光部をフォトディテクタとしてもよい。
【００２３】
この場合、前記主光ファイバは、４心又は８心のテープ心線であり、
前記プローブファイバは、前記テープ心線の心線毎に配置され、
前記フォトディテクタは、前記曲げ部における前記テープ心線の心線それぞれから漏洩する前記試験光を受光できる大きさであり、
前記制御部は、前記調心器に対して、前記プローブファイバ毎に一端の位置を調整させることを特徴とする。
【００２４】
そして、この場合の調心方法は、前記プローブファイバを前記テープ心線の心線毎に配置し、前記曲げ部における前記テープ心線の心線それぞれから漏洩する前記試験光を受光できる大きさのフォトディテクタを用い、それぞれの前記プローブファイバを順に位置調整する。
【００２５】
一方、前記受光部は、
一端が前記曲げ部に近接され、前記試験光の波長でマルチモード伝搬可能なマルチモードファイバと、
前記マルチモードファイバの他端に配置されたフォトディテクタと、
を有してもよい。
【００２６】
この場合、前記主光ファイバは、４心又は８心のテープ心線であり、
前記プローブファイバ、前記マルチモードファイバ及び前記フォトディテクタは、前記テープ心線の心線毎に配置され、
前記制御部は、前記調心器に対して、前記プローブファイバ毎に一端の位置を調整させることを特徴とする。
【００２７】
そして、この場合の調心方法は、前記プローブファイバを前記テープ心線の心線毎に配置し、前記曲げ部における前記テープ心線の心線毎に、前記試験光の波長でマルチモード伝搬可能であり、他端にフォトディテクタが配置されたマルチモードファイバの一端を近接し、それぞれの前記プローブファイバの一端から同時に前記曲げ部へ前記試験光を出射して前記プローブファイバ毎に一端の位置を調整する。
【発明の効果】
【００２８】
本発明は、通信サービスを維持した状態で入射光率が最大となるようにプローブファイバを微調整できる光ファイバ側方入出力装置及び調心方法を提供することができる。
【図面の簡単な説明】
【００２９】
【図１】本発明に関連する光ファイバ側方入出力装置を説明する図である。
【図２】本発明に係る光ファイバ側方入出力装置を説明する図である。
【図３】本発明に係る光ファイバ側方入出力装置の調心器を説明する図である。（Ａ）は上面図、（Ｂ）は側面図である。
【図４】本発明に係る光ファイバ側方入出力装置を説明する図である。（Ａ）は光ファイバ側方入出力装置の全体図であり、（Ｂ）はプローブファイバの一端の近傍αを説明する図であり、（Ｃ）は受光器の近傍βを説明する図である。
【図５】本発明に係る調心方法を説明する図である。
【図６】本発明に係る調心方法を説明する図である。
【図７】本発明に係る光ファイバ側方入出力装置を説明する図である。
【図８】本発明に係る光ファイバ側方入出力装置を説明する図である。（Ａ）は光ファイバ側方入出力装置の全体図であり、（Ｂ）はプローブファイバの一端の近傍αを説明する図であり、（Ｃ）は受光器の近傍βを説明する図である。
【発明を実施するための形態】
【００３０】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００３１】
（実施形態１）
図２は、本実施形態の光ファイバ側方入出力装置３０１を説明する図である。光ファイバ側方入出力装置３０１は、主光ファイバ１に形成された曲げ部Ｘにプローブファイバ３１の一端を近接させ、曲げ部Ｘからの漏洩光をプローブファイバ３１の一端で受光し、プローブファイバ３１の一端から曲げ部Ｘへ入射光を出射することで主光ファイバ１とプローブファイバ３１との間で光を入出力する光ファイバ側方入出力装置であって、
プローブファイバ３１の一端から曲げ部Ｘへ出射する試験光を出力する試験光源１０と、
プローブファイバ３１の一端の位置を調整する調心器１２と、
曲げ部Ｘへ入射された後に曲げ部Ｘから漏洩する前記試験光を受光する受光部１５と、
調心器１２に対して、受光部１５が受光した前記試験光の光強度が最大となるようにプローブファイバ３１の一端の位置を調整させる制御部１７と、
を備えることを特徴とする。
光ファイバ側方入出力装置３０１は、さらに試験光を出力する試験光源１０と、試験光源１０からの試験光をプローブファイバ３１に合波する波長合分波器１１を備える。
光ファイバ側方入出力装置３０１は、主光ファイバ１に一つだけ形成した曲げ部Ｘで光の入出力とパワーモニタを行える構成である。
【００３２】
ＯＬＴとＯＮＵとの間の通信光の波長は１．３１μｍとする。試験光源１０が出力する試験光の波長は１．６５μｍとする。試験光は連続光でもパルス光でもよい。波長合分波器１１は、試験光をプローブファイバ３１に結合する。プローブファイバ３１の一端は、主光ファイバ１の曲げ部Ｘの外側に近接される。試験光はプローブファイバ３１の一端から出射され、主光ファイバ１の曲げ部Ｘに入射する。曲げ部Ｘは、ある程度の距離があるため、曲げ部Ｘのある点に入射した試験光は曲げ部Ｘの他の部分から漏洩することになる。受光部１５は、曲げ部Ｘの外側であってプローブファイバ３１の一端が近接する部分と異なる部分に配置されており、曲げ部Ｘから漏洩した試験光を受光することができる。受光部１５は、例えば、フォトディテクタ（ＰＤ）である。
【００３３】
図３は、調心器１２を説明する図である。図３（Ａ）は主光ファイバ１とプローブファイバ３１を含む平面（ＸＹ平面）に垂直な方向からみた図（上面図）であり、図３（Ｂ）はＸＹ平面に垂直且つプローブファイバ３１を含む平面（ＸＺ平面）に垂直な方向からみた図（側面図）である。調心器１２はプローブファイバ３１の一端をＹ軸とＺ軸方向に動かすことができる。なお、調心器１２は、さらにプローブファイバ３１の一端をＸ軸、角度θ、及び角度φの方向へ動かすこともできる。調心器１２は、超音波アクチュエータやピエゾアクチュエータなど分解能が１μｍ程度のものを用いる。調心器１２は、後述の制御部１７からの信号によりプローブファイバ３１の一端をＸ、Ｙ、Ｚ、θ、φの方向へ微調整する。なお、作業者が手動でも調整可能なように、調心器１２はマイクロメータを備えていてもよい。
【００３４】
制御部１７は、次の機能を備える。
（ａ）試験光源１０に対して試験光の出力をＯＮ／ＯＦＦする。
（ｂ）受光部１５が受光した試験光の光パワーを読み込む。
（ｃ）受光部１５の受光パワーをモニタしながら調心器１２に対してプローブファイバ３１の一端を走査し、受光パワーが最大となる位置にプローブファイバ３１を調心（位置合わせ）する。
制御部１７は、上記機能を用いて、次のようにプローブファイバ３１の調心を行う。
Ｉ．プローブファイバ３１の一端から曲げ部Ｘの所定点に対して試験光（波長１．６５μｍ帯）を入力する。
ＩＩ．受光部１５が受光した曲げ部Ｘから漏洩する試験光の光パワーをモニタしながらプローブファイバ３１の一端を走査し、前記光パワーが最大となる位置を見出し、プローブファイバ３１を当該位置に固定する。
【００３５】
すなわち、光ファイバ側方入出力装置３０１の調心方法は、主光ファイバに形成された曲げ部にプローブファイバの一端を近接させ、前記曲げ部からの漏洩光を前記プローブファイバの一端で受光し、前記プローブファイバの一端から前記曲げ部へ入射光を出射することで前記主光ファイバと前記プローブファイバとの間で光を入出力する光ファイバ側方入出力装置において前記プローブファイバの一端の位置を調整する調心方法であって、
前記プローブファイバの一端から前記曲げ部へ試験光を出射し、
前記曲げ部へ入射された後に前記曲げ部から漏洩する前記試験光を受光し、
前記曲げ部から漏洩する前記試験光の光強度が最大となるように前記プローブファイバの一端の位置を調整する。
【００３６】
（実施形態２）
図４は、本実施形態の光ファイバ側方入出力装置３０２を説明する図である。光ファイバ側方入出力装置３０２は、主光ファイバ１が複数の心線を並列させるテープファイバに対応している。図４では４心のテープ心線を説明しているが、８心のテープ心線でも同様である。光ファイバ側方入出力装置３０２のプローブファイバ３１は、前記テープ心線の心線毎に配置され、受光部１５のフォトディテクタは、曲げ部Ｘにおける前記テープ心線の心線それぞれから漏洩する前記試験光を受光できる大きさであり、制御部１７は、調心器１２に対して、プローブファイバ３１毎に一端の位置を調整させることを特徴とする。
【００３７】
図４（Ａ）は、光ファイバ側方入出力装置３０２の全体図であり、図４（Ｂ）は、プローブファイバ３１の一端の近傍αを説明する図であり、図４（Ｃ）は、受光器１５の近傍βを説明する図である。光ファイバ側方入出力装置３０２は、図４（Ｂ）のようにテープ心線の４本の心線それぞれに対して４本のプローブファイバ（３１−１、３１−２、３１−３、３１−４）の一端を近接させ、調心器１２でそれぞれのプローブファイバを最適位置に調心する。
ここで、図４（Ｃ）のように、４心のテープ心線の幅は１．１ｍｍ程度であるため、ＰＤの受光面サイズは直径１〜５ｍｍのものを用いれば一つのＰＤで４本の心線それぞれから漏洩する試験光のパワーをモニタ可能である。
【００３８】
光ファイバ側方入出力装置３０２の具体的な調心方法は、プローブファイバ３１を前記テープ心線の心線毎に配置し、曲げ部Ｘにおける前記テープ心線の心線それぞれから漏洩する前記試験光を受光できる大きさのフォトディテクタを用い、それぞれのプローブファイバ３１を順に位置調整する。
【００３９】
受光面積の大きいＰＤを使用した場合、４本の心線から漏洩したすべての試験光のパワーをＰＤで受光することになる。例えば、図５のようにプローブファイバから４本の心線全てに試験光を常に入射する場合、プローブファイバ４本の同時調心は難しい。このためプローブファイバ１本ずつ調心する。１本ずつ調心すればＰＤの出力の変動量からプローブファイバそれぞれの最適位置を特定できる。また、図６のように調心するプローブファイバだけから対応する心線に試験光を入射することで、ＰＤが受光する漏洩試験光は当該心線からのみとなるので、プローブファイバ１本ずつ順に調心していけばよい。
【００４０】
（実施形態３）
図７は、本実施形態の光ファイバ側方入出力装置３０３を説明する図である。光ファイバ側方入出力装置３０３は、主光ファイバ１の曲げ部Ｘから漏洩する試験光をパワーモニタ用プローブファイバを介してＰＤで受光し，入力効率が最大となるプローブファイバの位置に調心する構成である。光ファイバ側方入出力装置３０３は、図２の光ファイバ側方入出力装置３０１に対してパワーモニタ用プローブファイバとしてマルチモードファイバ１９をさらに備えている。具体的には、受光部１５は、一端が曲げ部Ｘに近接され、前記試験光の波長でマルチモード伝搬可能なマルチモードファイバ１９と、マルチモードファイバ１９の他端に配置されたフォトディテクタ１５ａと、を有する。
【００４１】
ここでは、図２の光ファイバ側方入出力装置３０１との相違点のみ説明する。マルチモードファイバ１９はパワーモニタ用プローブファイバであって、ＧＩ５０ファイバ、ＧＩ６２．５ファイバ、大コア径ファイバ、あるいはダブルクラッドファイバなどの大口径マルチモードファイバを用いる。マルチモードファイバ１９は出力効率の軸ずれに対するトレランスが拡大するため、設置時の調心は不要である。
【００４２】
（実施形態４）
図８は、本実施形態の光ファイバ側方入出力装置３０４を説明する図である。光ファイバ側方入出力装置３０４は、主光ファイバ１が複数の心線を並列させるテープファイバに対応している。図８では４心のテープ心線を説明しているが、８心のテープ心線でも同様である。光ファイバ側方入出力装置３０４のプローブファイバ３１、マルチモードファイバ１９及びフォトディテクタ１５ａは、前記テープ心線の心線毎に配置され、制御部１７は、調心器１２に対して、プローブファイバ３１毎に一端の位置を調整させる。
【００４３】
図８（Ａ）は、光ファイバ側方入出力装置３０４の全体図であり、図８（Ｂ）は、プローブファイバ３１の一端の近傍αを説明する図であり、図８（Ｃ）は、受光器１５の近傍βを説明する図である。光ファイバ側方入出力装置３０４は、図８（Ｂ）のようにテープ心線の４本の心線それぞれに対して４本のプローブファイバ（３１−１、３１−２、３１−３、３１−４）の一端を近接させ、調心器１２でそれぞれのプローブファイバを最適位置に調心する。
また、光ファイバ側方入出力装置３０４は、図８（Ｃ）のようにテープ心線の４本の心線それぞれに対して４本のマルチモードファイバ（１９−１、１９−２、１９−３、１９−４）の一端を近接させる。それぞれのマルチモードファイバ１９の他端にはＰＤ（１５ａ−１、１５ａ−２、１５ａ−３、１５ａ−４）が接続されている。このため、各心線から漏洩する試験光をそれぞれのＰＤでモニター可能であり、図４の光ファイバ側方入出力装置３０２と異なり、４本のプローブファイバ３１を同時に調心可能である。
【００４４】
（他の実施形態）
実施形態２、４では、主光ファイバ１が４心のテープ心線で説明したが、８心のテープ心線であってもプローブファイバ３１を８本、マルチモードファイバ１９を８本、ＰＤを８個（光ファイバ側方入出力装置３０２の構造であれば大口径ＰＤが１つでよい）とすれば同様の方法で調心することができる。
【００４５】
［本発明の効果］
実施形態で説明した光ファイバ側方入出力装置は次のような効果を得ることができる。
１．通信を切断せず調心することができる。
２．試験光の波長が通信光と異なるため、通信の状態に影響されずプローブファイバを調心可能である。
３．入力効率で調心する必要がある場合(デュアルモードファイバやダブルクラッドファイバを用いたプローブを用いた場合など)に入力効率で調心することが可能である。
４．試験光を用いて調心するため迂回線路で通信しながらの調心が可能である。
【符号の説明】
【００４６】
１：主光ファイバ
１０：試験光源
１１：波長合分波器
１２：調心機構
１５：受光部
１５ａ：フォトディテクタ（ＰＤ）
１７：制御部
１９：マルチモードファイバ
３１：プローブファイバ
５１：スプリッタ
１００：ＯＬＴ（Ｏｐｔｉｃａｌ  Ｌｉｎｅ  Ｔｅｒｍｉｎａｌ：光加入者線終端装置）
２００：ＯＮＵ（Ｏｐｔｉｃａｌ  Ｎｅｔｗｏｒｋ  Ｕｎｉｔ：光加入者線ネットワーク装置）
３００〜３０４：光ファイバ側方入出力装置
【図１】
2017203730.tif 000003
【図２】
2017203730.tif 000004
【図３】
2017203730.tif 000005
【図４】
2017203730.tif 000006
【図５】
2017203730.tif 000007
【図６】
2017203730.tif 000008
【図７】
2017203730.tif 000009
【図８】
2017203730.tif 000010